【手続補正書】
【提出日】平成24年11月8日(2012.11.8)
【手続補正１】
【補正対象書類名】特許請求の範囲
【補正対象項目名】全文
【補正方法】変更
【補正の内容】
【特許請求の範囲】
【請求項１】
１つ以上のソフトウェア定義無線機を含む広域ワイヤレス通信ネットワークにおいて無線周波（ＲＦ）発信機を検出し、分類し、位置を判定する方法であって、
ＲＦ信号情報の履歴データベースを維持するステップであって、前記ＲＦ信号情報が、前記広域ワイヤレス通信ネットワークの中にある複数の位置において所定の期間所定の帯域幅にわたって前記１つ以上のソフトウェア定義無線機によって受信されたＲＦ信号を表す、ステップと、
干渉側ＲＦ信号の存在を検出するステップと、
前記干渉側ＲＦ信号の受信電力を特徴化するステップと、
前記干渉側ＲＦ信号の帯域幅を判定するステップと、
ネットワーク・ベース・ワイヤレス位置検出技法によって、前記干渉側ＲＦ信号のソースの位置を判定するステップと、
を含む、方法。
【請求項２】
請求項１記載の方法において、前記ネットワーク・ベース・ワイヤレス位置検出技法が、到達時間差（ＴＤＯＡ）であり、
前記ネットワーク・ベース・ワイヤレス位置検出技法が、ＴＤＯＡおよび到達角度（ＡＯＡ）の組み合わせである、方法。
【請求項３】
請求項１記載の方法において、前記ネットワークが、１つのソフトウェア定義無線機を含み、更に、監視すべき地理的エリアにわたって前記ソフトウェア定義無線機を複数の位置にシリアルに移動させるステップを含む、方法。
【請求項４】
無線周波数（ＲＦ）発信機を検出し、分類し、位置を判定する方法であって、
監視すべき信号に対応する時間ドメインＲＦデータを受信するステップであって、前記ＲＦデータが、所定の期間において所定の帯域幅にわたる前記信号を表す、ステップと、  前記受信した時間ドメインＲＦデータを、前記所定の期間にわたる複数の等しい時間間隔と関連付けるステップと、
前記等しい時間間隔と関連付けられた時間ドメインＲＦデータを、複数の周波数ビンに対応する周波数ドメイン・データに変換するステップと、
前記周波数ビンの各々について、そして前記監視すべき少なくとも１つの信号について、少なくとも１つの電力特性を判定するステップと、
前記周波数ビンの各々について、当該周波数ビンについての前記少なくとも１つの電力特性が、前記監視すべき信号の少なくとも１つの電力特性とは実質的に異なるときに、干
渉ソースがあると判定するステップと、
ジオロケーション判定アルゴリズムを用いて、前記干渉ソースの位置を判定するステップと、
を含む、方法。
【請求項５】
広域ワイヤレス通信ネットワークにおいて無線周波（ＲＦ）発信機を検出し、分類し、位置を判定するシステムであって、このシステムが、広い瞬時帯域幅および同調範囲を有する１つ以上のソフトウェア定義無線機と、前記１つ以上のソフトウェア定義無線機に通信可能に結合されている少なくとも１つのプロセッサと、前記少なくとも１つのプロセッサに通信可能に結合されている少なくとも１つのメモリとを含み、前記少なくとも１つのメモリの中に、方法を実行するように前記システムを構成することができるコンピュータ読み取り可能命令を格納しており、前記方法が、
監視すべき信号に対応する時間ドメインＲＦデータを受信するステップであって、前記ＲＦデータが、所定の期間において所定の帯域幅にわたる前記信号を表す、ステップと、  前記受信した時間ドメインＲＦデータを、前記所定の期間にわたる複数の等しい時間間隔と関連付けるステップと、
前記等しい時間間隔と関連付けられた時間ドメインＲＦデータを、複数の周波数ビンに対応する周波数ドメイン・データに変換するステップと、
前記周波数ビンの各々について、そして前記監視すべき少なくとも１つの信号について、少なくとも１つの電力特性を判定するステップと、
前記周波数ビンの各々について、当該周波数ビンについての前記少なくとも１つの電力特性が、前記監視すべき信号の少なくとも１つの電力特性とは実質的に異なるときに、干渉ソースがあると判定するステップと、
ジオロケーション判定アルゴリズムを用いて、前記干渉ソースの位置を判定するステップと、
を含む、システム。
【請求項６】
請求項５記載のシステムにおいて、前記ソフトウェア定義無線機が、中央コントローラによって制御される、システム。
【請求項７】
請求項５記載のシステムにおいて、前記位置を判定するステップが、更に、到達周波数差（ＦＤＯＡ）技法を用いて、干渉ソースの速度および方位を判定するステップを含む、システム。
【請求項８】
請求項４記載の方法または請求項５記載のシステムであって、更に、不正信号が検出されその位置が判定されたときに、警告を発生するステップを含む、方法またはシステム。
【請求項９】
請求項４記載の方法または請求項５記載のシステムであって、更に、前記少なくとも１つの信号が送信される所定の時間期間における時間の百分率の関数として、所定の地理的エリアにわたる百分率占有メトリックを判定するステップを含む、方法またはシステム。
【請求項１０】
請求項４記載の方法または請求項５記載のシステムにおいて、前記干渉ソースがスプーフ信号である、方法またはシステム。
【請求項１１】
請求項４記載の方法または請求項１０記載のシステムにおいて、前記監視すべき少なくとも１つの信号が、グローバル・ナビゲーション衛星システム（ＧＮＳＳ）信号である、方法またはシステム。
【請求項１２】
請求項４記載の方法または請求項１１記載のシステムにおいて、少なくとも１つの電力特性を判定する前記ステップが、絶対電力レベルを判定するステップを含み、干渉ソースが存在することを判定する前記ステップが、前記絶対電力レベルが、前記監視すべき信号の絶対電力レベルを超過すると判定するステップを含む、方法またはシステム。
【請求項１３】
請求項４記載の方法または請求項１１記載のシステムにおいて、干渉ソースが存在することを判定する前記ステップが、前記少なくとも１つの電力特性と関連のある衛星が、水平線上にあると判定するステップを含む、方法またはシステム。
【請求項１４】
請求項４記載の方法または請求項５記載のシステムであって、更に、前記監視すべき信号についての情報を受信するステップを含み、前記情報が、前記少なくとも１つの信号によって占められる周波数チャネルおよびスペクトル密度関数のうち少なくとも１つを含む、方法またはシステム。
【請求項１５】
請求項４記載の方法または請求項５記載のシステムであって、更に、Ｉ／Ｑ検出、帯域制限、ビット分解能増加、および前記時間ドメインＲＦデータのサンプル・レート低下を行うために、前記時間ドメインＲＦデータをデジタル・ダウンコンバータに通すステップを含み、任意に、
前記デジタル・ダウンコンバータが、前記ソフトウェア定義無線機においてプログラマブル・ロジックで実現される、方法またはシステム。
【請求項１６】
請求項４記載の方法または請求項５記載のシステムにおいて、前記位置を判定するステップが、到達時間差（ＴＤＯＡ）技法、到達角度（ＡＯＡ）技法、到達電力差（ＰＤＯＡ）技法、および到達周波数差（ＦＤＯＡ）技法のうち少なくとも１つを用いて実行される、方法またはシステム。
【請求項１７】
請求項４記載の方法または請求項５記載のシステムにおいて、前記方法が連続的に実行されるかまたは、
前記方法が、信号検索を開始する指示を受け取ったときに実行され、
前記位置を判定するステップが、更に、最良の位置推定値を得るために、複数のジオロケーション技法の加法的確率を用いるステップを含む、方法またはシステム。
【請求項１８】
請求項４記載の方法または請求項５記載のシステムであって、更に、ＲＦ電力対周波数および時間の関係を測定することによって、ＲＦチャネルの有効利用度を判定するステップを含むかまたは、
更に、無許諾ホワイト・スペース送信機の位置と、デジタル・オーバー・ジ・エアー・テレビジョン・サービスに干渉することなく前記ホワイト・スペース送信機が送信することができる最大電力とを判定するステップを含む、方法またはシステム。
【請求項１９】
請求項４記載の方法または請求項５記載の方法において、前記ネットワークが、１つのソフトウェア定義無線機を含み、更に、監視すべき地理的エリアにわたって前記ソフトウェア定義無線機を複数の位置にシリアルに移動させるステップを含む、方法またはシステム。
【請求項２０】
請求項１もしくは４記載の方法または請求項５記載のシステムであって、更に、ソフトウェア定義無線機間において時間および周波数を同期させるステップを含み、任意に、
前記同期が、ＧＰＳタイミング受信機を用いて行われ、
前記同期が、複数の信号および同期技法を用いて行われる、方法またはシステム。
【請求項２１】
請求項１もしくは４記載の方法または請求項５記載のシステムであって、更に、ローカル環境の伝搬モデルを用いることによって、前記干渉ソースによって送信される絶対電力を推定するステップを含む、方法またはシステム。
【請求項２２】
請求項１もしくは４記載の方法または請求項５記載のシステムにおいて、前記受信した時間ドメインＲＦデータの絶対電力を測定するために、前記ソフトウェア定義無線機の電力を較正する、方法またはシステム。
【請求項２３】
請求項４記載の方法または請求項５記載のシステムであって、更に、特徴化した信号を表すデータにタイム・スタンプを付け、このタイム・スタンプを付けたデータをデータベースに格納するステップを含む、方法またはシステム。
【請求項２４】
請求項１もしくは４記載の方法または請求項５記載のシステムにおいて、前記位置を判定するステップが、前記ソースの電力を判定し、前記１つ以上のソフトウェア定義無線機の受信アンテナおよびＲＦ伝搬モデルの特性の関数として位置を判定することによって、前記干渉ソースの放射電力を推定するステップを含む、方法またはシステム。